(57)【要約】【課題】  隣接チャンネルトラップ回路の影響を無くしてＲＦ特性の観測をできるようにする。【解決手段】  中間周波信号を出力するミキサ１と、ミキサ１の後段に設けられた中間周波増幅器２と、中間周波信号に同調すると共にミキサ１と中間周波増幅器２との間に介挿された中間周波同調回路３と、ミキサ１と中間周波増幅器２との間に介挿されると共に隣接チャンネルの信号を減衰するトラップ回路４とを備え、トラップ回路４に第１のスイッチ手段５を並列接続して、第１のスイッチ手段５をオンすることで、トラップ回路４の影響を受けずにミキサ１の出力端又は中間周波増幅器２の入力端でＲＦ特性を観測できる。【選択図】        図１
0003103620.tif 000002
【実用新案登録請求の範囲】
【請求項１】
中間周波信号を出力するミキサと、前記ミキサの後段に設けられた中間周波増幅器と、前記中間周波信号に同調すると共に前記ミキサと前記中間周波増幅器との間に介挿された中間周波同調回路と、前記ミキサと前記中間周波増幅器との間に介挿されると共に隣接チャンネルの信号を減衰するトラップ回路とを備え、前記トラップ回路に第１のスイッチ手段を並列接続したことを特徴とする中間周波回路。
【請求項２】
前記中間周波同調回路は第１のインダクタンス素子と第１の容量素子との並列接続回路で構成され、第２のスイッチ手段と第２の容量素子とからなる直列接続回路を前記中間周波同調回路に並列接続し、前記第１のスイッチ手段と前記第２のスイッチ手段とを共にオン又はオフに切り替えたことを特徴とする請求項１に記載の中間周波回路。
【請求項３】
前記ミキサは一対の出力端を有すると共に、前記中間周波増幅は一対の入力端を有し、前記中間周波同調回路を前記一対の出力端間に接続し、前記出力端の一方と前記入力端の一方とを互いに結合すると共に、前記出力端の他方と前記入力端の他方とを前記トラップ回路を介して結合したことを特徴とする請求項２に記載の中間周波回路。
【請求項４】
前記第１のインダクタンス素子の中点に電源電圧を印加すると共に、前記ミキサの出力端には前記インダクタンス素子を介して前記電源電圧を供給し、前記トラップ回路の一端を前記他方の出力端に接続し、前記第１のスイッチ手段を第１のトランジスタで構成すると共にそのコレクタを前記他方の出力端に接続し、エミッタを前記他方の入力端に接続すると共に第１の抵抗を介して接地し、前記第２のスイッチ手段を第２のトランジスタで構成すると共にそのコレクタを前記出力端の何れか一方に接続し、エミッタを前記第２の容量素子を介して前記出力端の何れか他方の出力端に接続すると共に第２の抵抗を介して接地し、前記第２のトランジスタのベースを前記第１のトランジスタのベースに接続したことを特徴とする請求項３に記載の中間周波回路。
【請求項５】
前記ミキサと前記中間周波増幅器とを同一の集積回路内に構成し、前記第１及び第２のトランジスタと前記第１及び第２の抵抗とを前記集積回路内に構成したことを特徴とする請求項４に記載の中間周波回路。
【考案の詳細な説明】
【技術分野】
【０００１】
本考案は、テレビジョンチューナに好適な中間周波回路に関する。
【背景技術】
【０００２】
従来の中間周波回路を図３に示す。中間周波入力回路４１の一対の入力端４１１、４１２間に第１コンデンサ４４と第１インダクタ４５が並列接続され、第１インダクタ４５の中間タップが電源端子４１５に接続される。一方の入力端４１１と一方の出力端４１３との間に第２コンデンサ４６と第２インダクタ４７の並列接続回路と第４コンデンサ５０と第１抵抗５１とが直列接続され、他方の入力端４１２と他方の出力端４１４との間に第３インダクタ４８と第３コンデンサ４９の並列接続回路と第５コンデンサ５２と第２抵抗５３とが直列接続される。
【０００３】
また、周波数混合回路４２の一方のトランジスタ５４のコレクタが一方の入力端４１１に接続され、他方のトランジスタ５５のコレクタが他方の入力端４１２に接続される。
中間周波増幅回路４３の一方のトランジスタ５６のベースが一方の出力端４１３に接続され、他方のトランジスタ５７のベースが他方の出力端４１４に接続される。
【０００４】
第１コンデンサ４４と第１インダクタ４５との並列接続回路は中間周波数に同調し、第２コンデンサ４６と第２インダクタ４７との並列接続回路は上側隣接チャンネルの中間周波数成分に並列共振するトラップ回路を構成し、第３インダクタ４８と第３コンデンサ４９との並列接続回路は下側隣接チャンネルの中間周波成分に並列共振するトラップ回路を構成する。
【０００５】
そして、周波数混合回路から出力された中間周波信号が一対の入力端子４１１、４１２を介して中間周波入力回路４１に入力される。中間周波入力回路４１においては、中間周波信号が第１コンデンサ４４と第１インダクタ４５との並列接続回路によって同調され、第２コンデンサ４６と第２インダクタ４７との並列接続回路によって不要な上側隣接チャンネルの中間周波数成分が除去され、第３インダクタ４８と第３コンデンサ４９との並列接続回路によって不要な下側隣接チャンネルの中間周波数成分が除去される。
【０００６】
続いて、第４コンデンサ５０、第１抵抗５１を介して一方の出力端４１３に出力されると共に、第５コンデンサ５２、第２抵抗５３を介して出力端４１４に出力される。一対の出力端４１３、４１４に得られた中間周波信号は中間周波増幅回路４３に入力される（例えば、特許文献１参照。）。
【０００７】
【特許文献１】特開２００１−１９６９６１号公報（図４）
【考案の開示】
【考案が解決しようとする課題】
【０００８】
テレビジョンチューナのＲＦ特性（周波数混合回路４２までの伝送特性）の観測は、中間周波入力回路４１の特性が現れないように中間周波入力回路４１に低インピーダンスの検波器を接続して観測するのが一般的であるが、隣接チャンネルの中間周波数成分を除去する並列共振回路（トラップ回路）の影響を受けるという問題がある。
【０００９】
本考案は、隣接チャンネルトラップ回路の影響を無くしてＲＦ特性の観測をできるようにすることを目的とする。
【課題を解決するための手段】
【００１０】
上記課題を解決する手段として、本考案は、中間周波信号を出力するミキサと、前記ミキサの後段に設けられた中間周波増幅器と、前記中間周波信号に同調すると共に前記ミキサと前記中間周波増幅器との間に介挿された中間周波同調回路と、前記ミキサと前記中間周波増幅器との間に介挿されると共に隣接チャンネルの信号を減衰するトラップ回路とを備え、前記トラップ回路に第１のスイッチ手段を並列接続した。
【００１１】
また、前記中間周波同調回路は第１のインダクタンス素子と第１の容量素子との並列接続回路で構成され、第２のスイッチ手段と第２の容量素子とからなる直列接続回路を前記中間周波同調回路に並列接続し、前記第１のスイッチ手段と前記第２のスイッチ手段とを共にオン又はオフに切り替えた。
【００１２】
また、前記ミキサは一対の出力端を有すると共に、前記中間周波増幅は一対の入力端を有し、前記中間周波同調回路を前記一対の出力端間に接続し、前記出力端の一方と前記入力端の一方とを互いに結合すると共に、前記出力端の他方と前記入力端の他方とを前記トラップ回路を介して結合した。
【００１３】
また、前記第１のインダクタンス素子の中点に電源電圧を印加すると共に、前記ミキサの出力端には前記インダクタンス素子を介して前記電源電圧を供給し、前記トラップ回路の一端を前記他方の出力端に接続し、前記第１のスイッチ手段を第１のトランジスタで構成すると共にそのコレクタを前記他方の出力端に接続し、エミッタを前記他方の入力端に接続すると共に第１の抵抗を介して接地し、前記第２のスイッチ手段を第２のトランジスタで構成すると共にそのコレクタを前記出力端の何れか一方に接続し、エミッタを前記第２の容量素子を介して前記出力端の何れか他方の出力端に接続すると共に第２の抵抗を介して接地し、前記第２のトランジスタのベースを前記第１のトランジスタのベースに接続した。
【００１４】
また、前記ミキサと前記中間周波増幅器とを同一の集積回路内に構成し、前記第１及び第２のトランジスタと前記第１及び第２の抵抗とを前記集積回路内に構成した。
【考案の効果】
【００１５】
請求項１に記載の考案によれば、前記中間周波信号に同調すると共にミキサと中間周波増幅器との間に介挿された中間周波同調回路と、ミキサと中間周波増幅器との間に介挿されると共に隣接チャンネルの信号を減衰するトラップ回路とを備え、トラップ回路に第１のスイッチ手段を並列接続したので、ミキサの入力端又は中間周波増幅器の入力端に検波器を接続すれば、スイッチ手段をオンすることでトラップ回路の影響を無くしてミキサ段までのＲＦ特性を観測することができる。
【００１６】
また、請求項２に記載の考案によれば、中間周波同調回路は第１のインダクタンス素子と第１の容量素子との並列接続回路で構成され、第２のスイッチ手段と第２の容量素子とからなる直列接続回路を中間周波同調回路に並列接続し、第１のスイッチ手段と第２のスイッチ手段とを共にオン又はオフに切り替えたので、２つのスイッチ手段をオンすれば同調回路周波数が大きく離調し、中間周波同調回路とトラップ回路との影響を受けずに中間周波増幅器の出力端においてＲＦ特性を観測することができる。
【００１７】
また、請求項３に記載の考案によれば、ミキサは一対の出力端を有すると共に、中間周波増幅は一対の入力端を有し、中間周波同調回路を一対の出力端間に接続し、出力端の一方と入力端の一方とを互いに結合すると共に、出力端の他方と入力端の他方とをトラップ回路を介して結合したので、平衡回路で構成できる。
【００１８】
また、請求項４に記載の考案によれば、第１のインダクタンス素子の中点に電源電圧を印加すると共に、ミキサの出力端にはインダクタンス素子を介して電源電圧を供給し、トラップ回路の一端を他方の出力端に接続し、第１のスイッチ手段を第１のトランジスタで構成すると共にそのコレクタを他方の出力端に接続し、エミッタを他方の入力端に接続すると共に第１の抵抗を介して接地し、第２のスイッチ手段を第２のトランジスタで構成すると共にそのコレクタを出力端の何れか一方に接続し、エミッタを第２の容量素子を介して出力端の何れか他方の出力端に接続すると共に第２の抵抗を介して接地し、第２のトランジスタのベースを前記第１のトランジスタのベースに接続したので、２つのスイッチ手段を共にオン又はオフとすることができる。
【００１９】
また、請求項５に記載の考案によれば、ミキサと中間周波増幅器とを同一の集積回路内に構成し、第１及び第２のトランジスタと第１及び第２の抵抗とを集積回路内に構成したので、構成を簡素化できる。
【考案を実施するための最良の形態】
【００２０】
図１は本考案の中間周波回路に関わる第１の実施形態に構成を示す。周波数変換用のミキサ１と中間周波増幅器２とは集積回路１０内に構成される。ミキサ１はその出力段に一対のトランジスタが設けられ、その出力端（コレクタ）は集積回路１０の一対の平衡出力端子１０ａ、１０ｂに接続される。また、中間周波増幅器２の入力端は集積回路１０の一対の平衡入力端子１０ｃ、１０ｄに接続される。平衡出力端子１０ａ、１０ｂと平衡入力端子１０ｃ、１０ｄとの間には中間周波同調回路３とトラップ回路４とが介挿される。
【００２１】
中間周波同調回路３は第１のインダクタンス素子３ａ、と第１の容量素子３ｂとの並列接続同調回路からなり、平衡出力端子１０ａ、１０ｂ間に接続される。その同調周波数は中間周波数帯のほぼ中心周波数に同調する。第１のインダクタンス素子３ａの中間タップ点に電源電圧Ｖｃｃが印加され、その電圧は第１のインダクタンス素子３ａ、３ａを介してトランジスタ１ａ、１ｂのコレクタに供給される。そして、一方の出力端子１０ａは一方の入力端子１０ｃに結合され、他方の出力端子１０ｂはトラップ回路４を介して他方の入力端子１０ｄに結合される。トラップ回路４はインダクタンス素子４ａと容量素子４ｂとの並列接続回路からなり、隣接チャンネルの中間周波数帯の映像中間周波数又は音声中間周波数に共振する。
【００２２】
集積回路１０内には第１のスイッチ手段としての第１のトランジスタ５が構成される。第１のトランジスタ５のコレクタは他方の出力端子１０ｂに接続され、エミッタは他方の入力端子１０ｄに接続されると共に、第１の抵抗６を介して接地される。第１の抵抗６も集積回路１０内に構成される。そして、ミキサ１の前段までの伝送特性（ＲＦ特性）を観測するときには、例えば、一方の出力端子１０ａ又は一方の入力端子１０ｃに低インピーダンス（７５Ω程度）の検波器７を接続すると共に、トランジスタ５をオンさせる。すると、中間周波同調回路３はＱダンプされると共にトラップ回路４の両端が短絡されて、出力端子１０ａ又は入力端子１０ｃにて検波された、ＲＦ特性を示す波形を観測することができる。
【００２３】
図２は本考案の中間周波回路に関わる第２の実施形態に構成を示す。中間周波同調回路３には第２のスイッチ手段としての第２のトランジスタ７と第２の容量素子８との直列接続回路が並列に接続される。即ち、第２のトランジスタのコレクタは何れかの出力端（図２では他方の出力端１０ｂ）に接続され、エミッタは第２の容量素子８を介して他方の出力端（図２では出力端１０ａ）に接続される。また、エミッタは第２の抵抗９を介して接地される。ベースは第１のトランジスタ５のベースに接続される。第２のトランジスタ７と第２の抵抗９も集積回路１０内に構成される。それ以外の構成は図１に図示した構成と同じである。
【００２４】
以上の構成によれば、ＲＦ特性を観測するときに第１及び第２のトランジスタ５、７のベースに電圧を印加して共にオンすれば、中間周波同調回路３に第２の容量素子８が並列接続されるのでその同調周波数が中間周波数帯から大きく離調する。また、トラップ回路４の両端は図１で説明したときと同様に短絡される。従って、中間周波増幅器２の出力端に検波器を接続すればＲＦ特性を観測することができる。
【図面の簡単な説明】
【００２５】
【図１】本考案の中間周波回路に関わる第１の実施形態の構成を示す回路図である。
【図２】本考案の中間周波回路に関わる第２の実施形態の構成を示す回路図である。
【図３】従来の中間周波回路の構成を示す回路図である。
【符号の説明】
【００２６】
１：ミキサ
１ａ、１ｂ：トランジスタ
２：中間周波増幅器
３：中間周波同調回路
３ａ：第１のインダクタンス素子
３ｂ：第１の容量素子
４：トラップ回路
４ａ：インダクタンス素子
４ｂ：容量素子
５：第１のトランジスタ
６：第１の抵抗
７：第２のトランジスタ
８：第２の容量素子
９：第２の抵抗
１０：集積回路
１０ａ、１０ｂ：出力端子
１０ｃ、１０ｄ：入力端子
【図１】
0003103620.tif 000003
【図２】
0003103620.tif 000004
【図３】
0003103620.tif 000005